(57)【要約】【課題】上下磁気シールド層、トレーリングシールド、またはリターンヨークに外部磁場ノイズや外部電波ノイズが作用しても、エッジノイズを抑えることができる磁気ヘッドを提供する。【解決手段】磁気感知層６と、磁気感知層６を挟む上下磁気シールド層５，７とを有し、上下磁気シールド層５，７のうち少なくとも一方は、少なくとも浮上面１０側の端部が、磁気感知層６のコア幅方向に、複数に分離して設けられている。【選択図】図１
2008234707.tif 000002
【特許請求の範囲】
【請求項１】
磁気感知層と、該磁気感知層を挟む上下磁気シールド層とを有し、
該上下磁気シールド層のうち少なくとも一方は、少なくとも浮上面側の端部が、前記磁気感知層のコア幅方向に、複数に分離して設けられていることを特徴とする磁気ヘッド。
【請求項２】
前記磁気シールド層の分離した各部分は、コア幅方向の端部に近いものほど、コア幅方向の寸法が短く形成されていることを特徴とする請求項１記載の磁気ヘッド。
【請求項３】
前記磁気シールド層の分離した各部分のコア幅方向の間隔は、コア幅方向の端部に近いものほど、広くなっていることを特徴とする請求項１または２記載の磁気ヘッド。
【請求項４】
前記上下磁気シールド層は、コア幅方向の中央部において浮上面に露出し、コア幅方向の端部に近づくに従い、浮上面との距離が大きくなるよう形成されていることを特徴とする請求項１〜３のうちのいずれか一項記載の磁気ヘッド。
【請求項５】
主磁極と、該主磁極を挟むトレーリングシールドおよびリターンヨークとを有し、
該トレーリングシールドおよび該リターンヨークのうち少なくとも一方は、少なくとも浮上面側の端部が、前記主磁極のコア幅方向に、複数に分離して設けられていることを特徴とする磁気ヘッド。
【請求項６】
前記トレーリングシールドまたはリターンヨークの分離した各部分は、コア幅方向の端部に近いものほど、コア幅方向の寸法が短く形成されていることを特徴とする請求項５記載の磁気ヘッド。
【請求項７】
前記トレーリングシールドまたはリターンヨークの分離した各部分のコア幅方向の間隔は、コア幅方向の端部に近いものほど、広くなっていることを特徴とする請求項５または６記載の磁気ヘッド。
【請求項８】
前記トレーリングシールドまたは前記リターンヨークは、コア幅方向の中央部において浮上面に露出し、コア幅方向の端部に近づくに従い、浮上面との距離が大きくなるよう形成されていることを特徴とする請求項５〜７のうちのいずれか一項記載の磁気ヘッド。
【発明の詳細な説明】
【技術分野】
【０００１】
本発明は、磁気感知層と、磁気感知層を挟む上下磁気シールド層とを有し、または、主磁極と、主磁極を挟むトレーリングシールドおよびリターンヨークとを有する磁気ヘッドに関する。
【背景技術】
【０００２】
図５は、従来の垂直磁気記録型の磁気ヘッドＢの構成を示す説明図である。図５（ａ）は、磁気ヘッドＢを浮上面９０側から見た図であり、図５（ｂ）は、磁気ヘッドＢを浮上面９０に直交する断面で切断した断面図である。なお、図５では、絶縁層は透視して表現している。
磁気ヘッドＢは、図５（ａ），（ｂ）に示すように、磁気感知層（磁気抵抗効果素子）９６と、磁気感知層９６を挟む上下磁気シールド層としての、上部再生シールド層９５および下部再生シールド層９７とから成る磁気再生ヘッド９９を備える。さらに、磁気ヘッドＢは、主磁極９２と、主磁極９２を挟むトレーリングシールド９１およびリターンヨーク９４と、コイル９３，９３とから成る磁気記録ヘッド９８を備える。
【０００３】
磁気ヘッドＢは、浮上面９０に対向して設けられる磁気記録媒体に記録された磁気情報に応じて変化する磁気感知層９６の電気抵抗を検出することで、その磁気情報を読み取る。また、コイル９３，９３に電流を流すことによって主磁極９２を通過する磁界を発生させ、主磁極９２の浮上面９０側の磁極端から磁気記録媒体に向けて磁界を放出することにより、磁気記録媒体に磁気情報を書き込む。
【０００４】
ところで、磁気ヘッドおよび磁気記録媒体を有する磁気記憶装置には、様々な外来の磁場ノイズや電波ノイズが作用する。磁気ヘッドＢの中で比較的広い面積を有する磁性体である、磁気ヘッドＢの上下磁気シールド層９５，９７や、トレーリングシールド９１およびリターンヨーク９４は、このような外部磁場ノイズや外部電波ノイズを拾うアンテナとなる。上下磁気シールド層９５，９７、トレーリングシールド９１およびリターンヨーク９４が強い外部磁場ノイズを拾うと、図６に示すように、それらのエッジ部（角部）９４ａには強い磁場が生じ、エッジ部９４ａから磁気記録媒体８８に向けて強い磁束（いわゆるエッジノイズ）が放出されて、磁気記録媒体８８に記録されていた磁気情報が消去されたり書き換わってしまったりするという不具合が発生することがある。この現象は、一般に外部磁場イレーズと呼ばれる。
なお、図６ではリターンヨーク９４におけるエッジノイズを代表して記載したが、トレーリングシールド９１や上下磁気シールド層９５，９７でも同様の現象が発生し得る。
【０００５】
また、特許文献１には、磁気記録の際にリターンヨークのエッジ部から強い磁界がディスク（磁気記録媒体）に作用して、磁気記録媒体上の磁気情報が消去されたり書き換わったりしてしまう現象（サイドライト）を防ぐために、リターンヨークのディスク媒体への対向部分で、端部が中央部よりもディスク媒体からの距離が大きくなるような形状（エッジ部を面取りした形状や曲面状）とする技術が開示されている（特許文献１  段落００３５〜００３９、第４図  参照）。
特許文献１に記載されたリターンヨークの形状によれば、前述の外部磁場ノイズや外部電波ノイズに起因するエッジノイズを抑えることに対しても、一定の効果が得られるものと推測される。
【０００６】
【特許文献１】特開２００４−１２７４０７号公報（段落００３５〜００３９、第４図  参照）
【発明の開示】
【発明が解決しようとする課題】
【０００７】
しかしながら、特許文献１記載の技術のようにリターンヨークを面取りした場合でも、エッジ部において生じる磁場の強さはあまり変わらないため、エッジノイズの低減効果が必ずしも十分に得られないという課題がある。
【０００８】
また、図７に示すように、リターンヨーク９４の磁気記録媒体８８との対向部のエッジ部９４ａを面取りした場合、面取りによって新たに形成される中央部寄りのエッジ部９４ｂからエッジノイズが発生してしまう場合があるという課題がある。
本課題においては、両端部のエッジ部９４ａを磁気記録媒体８８から遠ざけるために面取りを急勾配に形成すればするほど、中央部寄りのエッジ部９４ｂが先鋭状となるためにエッジ部９４ｂからエッジノイズが発生しやすくなるという傾向にある。
【０００９】
本発明は上記課題を解決すべくなされ、その目的とするところは、上下磁気シールド層、トレーリングシールド、またはリターンヨークに外部磁場ノイズや外部電波ノイズが作用しても、エッジノイズを抑えることができる磁気ヘッドを提供することにある。
【課題を解決するための手段】
【００１０】
本発明に係る磁気ヘッドは、上記課題を解決するため、以下の構成を備える。
すなわち、磁気感知層と、該磁気感知層を挟む上下磁気シールド層とを有し、該上下磁気シールド層のうち少なくとも一方は、少なくとも浮上面側の端部が、前記磁気感知層のコア幅方向に、複数に分離して設けられていることを特徴とする。
これによれば、上下磁気シールド層の浮上面側の端部が、前記コア幅方向に複数に分離して設けられているから、上下磁気シールド層に外部磁場ノイズや外部電波ノイズが作用した際、ノイズの影響が複数に分離した部分の各エッジ部に分散するため、エッジノイズを抑えることができる。
【００１１】
さらに、前記磁気シールド層の分離した各部分は、コア幅方向の端部に近いものほど、コア幅方向の寸法が短く形成されていることを特徴とする。
また、前記磁気シールド層の分離した各部分のコア幅方向の間隔は、コア幅方向の端部に近いものほど、広くなっていることを特徴とする。
これによれば、上下磁気シールド層の複数に分離した部分の各エッジ部へのノイズの分散を、よりスムーズにすることができる。
【００１２】
また、前記上下磁気シールド層は、コア幅方向の中央部において浮上面に露出し、コア幅方向の端部に近づくに従い、浮上面との距離が大きくなるよう形成されていることを特徴とする。
これによれば、上下磁気シールド層のコア幅方向の端部を磁気記録媒体から遠ざけて、エッジノイズによる磁気記録媒体への影響（外部磁場イレーズ）を生じにくくすることができる。
【００１３】
また、主磁極と、該主磁極を挟むトレーリングシールドおよびリターンヨークとを有し、該トレーリングシールドおよび該リターンヨークのうち少なくとも一方は、少なくとも浮上面側の端部が、前記主磁極のコア幅方向に、複数に分離して設けられていることを特徴とする。
これによれば、トレーリングシールドまたはリターンヨークの浮上面側の端部が、前記コア幅方向に複数に分離して設けられているから、トレーリングシールドまたはリターンヨークに外部磁場ノイズや外部電波ノイズが作用した際、ノイズの影響が複数に分離した部分の各エッジ部に分散するため、エッジノイズを抑えることができる。
【００１４】
さらに、前記トレーリングシールドまたはリターンヨークの分離した各部分は、コア幅方向の端部に近いものほど、コア幅方向の寸法が短く形成されていることを特徴とする。
また、前記トレーリングシールドまたはリターンヨークの分離した各部分のコア幅方向の間隔は、コア幅方向の端部に近いものほど、広くなっていることを特徴とする。
これによれば、トレーリングシールドまたはリターンヨークの複数に分離した部分の各エッジ部へのノイズの分散を、よりスムーズにすることができる。
【００１５】
また、前記トレーリングシールドまたは前記リターンヨークは、コア幅方向の中央部において浮上面に露出し、コア幅方向の端部に近づくに従い、浮上面との距離が大きくなるよう形成されていることを特徴とする。
これによれば、トレーリングシールドまたはリターンヨークのコア幅方向の端部を磁気記録媒体から遠ざけて、エッジノイズによる磁気記録媒体への影響（外部磁場イレーズ）を生じにくくすることができる。
【発明の効果】
【００１６】
本発明に係る磁気ヘッドによれば、上下磁気シールド層、トレーリングシールド、またはリターンヨークに外部磁場ノイズや外部電波ノイズが作用しても、エッジノイズを抑えることができるという効果がある。
【発明を実施するための最良の形態】
【００１７】
以下、本発明に係る磁気ヘッドを実施するための最良の形態を説明する。
【００１８】
図１は、本実施の形態に係る垂直磁気記録型の磁気ヘッドＡの構成を示す説明図である。図１（ａ）は、磁気ヘッドＢを浮上面１０側から見た図であり、図１（ｂ）は、磁気ヘッドＡを浮上面１０に直交する断面で切断した断面図である。なお、図１では、絶縁層は透視して表現している。
磁気ヘッドＡは、図１（ａ），（ｂ）に示すように、磁気感知層（磁気抵抗効果素子）６と、磁気感知層６を挟む上下磁気シールド層としての、上部再生シールド層５および下部再生シールド層７とから成る磁気再生ヘッド９を備える。さらに、磁気ヘッドＡは、主磁極２と、主磁極２を挟むトレーリングシールド１およびリターンヨーク４と、コイル３，３とから成る磁気記録ヘッド８を備える。
【００１９】
磁気ヘッドＡは、浮上面１０に対向して設けられる磁気記録媒体に記録された磁気情報に応じて変化する磁気感知層６の電気抵抗を検出することで、その磁気情報を読み取る。また、コイル３，３に電流を流すことによって主磁極２を通過する磁界を発生させ、主磁極２の浮上面１０側の磁極端から磁気記録媒体に向けて磁界を放出することにより、磁気記録媒体に磁気情報を書き込む。
【００２０】
本実施の形態に係る磁気ヘッドＡは、上下磁気シールド層５，７、トレーリングシールド１、およびリターンヨーク４の構成に特徴がある。
以下、上下磁気シールド層５，７、トレーリングシールド１、およびリターンヨーク４の構成についての、複数の構成例である実施例１〜３を説明する。
【実施例１】
【００２１】
本実施例１において、上部再生シールド層５は、磁気感知層６のコア幅方向（図１（ａ）における水平方向、図１（ｂ）における奥行方向）に磁気的に分離した、３つの磁気シールド層５ａ，５ｂ，５ｃで構成される。各磁気シールド層５ａ，５ｂ，５ｃは同一膜面内に設けられている。
３つの磁気シールド層５ａ，５ｂ，５ｃのうち、真ん中に位置する磁気シールド層５ａが、コア幅方向に最も幅広に形成され、磁気シールド層５ａのコア幅方向両端のそれぞれに設けられた磁気シールド層５ｂ，５ｃは、磁気シールド層５ａよりも幅狭に形成される。言い換えれば、上部再生シールド層５は、コア幅方向の両端部において、コア幅方向に分離した部分５ｂ，５ｃを有するということである。
【００２２】
図２は、実施例１に係る上部再生シールド層５を、その膜面に直交する方向（薄膜の積層方向）から見た説明図である。
上部再生シールド層５は、コア幅方向（図２における水平方向）の中央部において浮上面１０に露出し、コア幅方向の端部に近づくに従い、浮上面１０との距離が大きくなるよう形成されている。
【００２３】
図１（ａ）に示すように、同様に、下部再生シールド層７も、磁気感知層６のコア幅方向に磁気的に分離した、３つの磁気シールド層７ａ，７ｂ，７ｃで構成される。それらの平面形状は、上部再生シールド層５の構成と同様であるため、説明を省略する。
また、同じく、トレーリングシールド１も、磁気感知層６のコア幅方向に磁気的に分離した、３つのトレーリングシールド層１ａ，１ｂ，１ｃで構成される。それらの平面形状も、上部再生シールド層５の構成と同様である。また、リターンヨーク４も、磁気感知層６のコア幅方向に磁気的に分離した、３つのリターンヨーク層４ａ，４ｂ，４ｃで構成される。それらの平面形状もまた、上部再生シールド層５の構成と同様である。
【００２４】
上部再生シールド層５をこのように構成することにより、外部磁場ノイズ／外部電波ノイズは、磁気的に分離した複数の磁気シールド層５ａ，５ｂ，５ｃに分散して受信され、さらに、上部再生シールド層５浮上面１０側の端部には、多数のエッジ部ｅ，ｅ・・が存在するから、各エッジ部ｅ，ｅ・・に掛かる磁場は分散されて弱くなる。したがって、エッジノイズが抑えられ、外部磁場イレーズが生じにくくなる。
下部再生シールド層７、トレーリングシールド１、およびリターンヨーク４においても、同様の構成を採ることにより同様の作用効果を得ることができる。
【実施例２】
【００２５】
図３は、実施例２に係る上部再生シールド層５の構成を示す説明図である。実施例２に係る上部再生シールド層５は、磁気感知層６のコア幅方向に磁気的に分離した、７つの磁気シールド層５ａ，５ｂ，５ｃ，５ｄ，５ｅ，５ｆ，５ｇで構成される。各磁気シールド層５ａ〜５ｇは同一膜面内に設けられている。
７つの磁気シールド層５ａ〜５ｇのうち、真ん中に位置する磁気シールド層５ａが、コア幅方向に最も幅広に形成され、磁気シールド層５ａのコア幅方向両端のそれぞれに設けられた磁気シールド層５ｂ〜５ｇは、磁気シールド層５ａよりも幅狭に形成される。言い換えれば、上部再生シールド層５は、コア幅方向の両端部において、コア幅方向に多数に分離した部分５ｂ〜５ｇを有するということである。
【００２６】
また、図３に示すように、上部再生シールド層５の分離した各部分５ｂ〜５ｇは、コア幅方向の端部に近いものほど、コア幅方向の寸法が短く（幅狭に）形成されている。
さらに、上部再生シールド層５の分離した各部分５ｂ〜５ｇのコア幅方向の間隔は、コア幅方向の端部に近いものほど、広くなっている。
【００２７】
さらに、実施例１と同様、上部再生シールド層５は、コア幅方向の中央部において浮上面１０に露出し、コア幅方向の端部に近づくに従い、浮上面１０との距離が大きくなるよう形成されている。
【００２８】
本実施例２に係る構成によれば、実施例１よりも多数の磁気シールド層５ａ〜５ｇに分散されて受信された外部磁場ノイズ／外部電波ノイズを、より多数の各エッジ部ｅ，ｅ・・に分散させることができるから、よりエッジノイズが抑えられ、外部磁場イレーズが生じにくくなる。
さらに、上部再生シールド層５の各部分５ｂ〜５ｇは、コア幅方向の端部に近いものほど、コア幅方向の寸法が短く形成され、また、各部分５ｂ〜５ｇのコア幅方向の間隔は、コア幅方向の端部に近いものほど、広くなっている。これによれば、各部分５ｂ〜５ｇの各エッジ部ｅ，ｅ・・へのノイズの分散を、よりスムーズにすることができる。
【００２９】
本実施例２の構成もまた、下部再生シールド層７、トレーリングシールド１、およびリターンヨーク４に応用することで、同様の作用効果を得ることができる（説明は省略する）。
【実施例３】
【００３０】
実施例１および実施例２においては、上下磁気シールド層５，７、トレーリングシールド１、およびリターンヨーク４の分離した部分は、互いに完全に分離して、連結することなく設けられているが、本発明に係る磁気ヘッドにおける上下磁気シールド層、トレーリングシールド、およびリターンヨークの構成は、これに限定されるものではなく、少なくとも浮上面側の端部が、磁気感知層のコア幅方向に複数に分離して設けられているものを全て含む。
【００３１】
実施例３における上部再生シールド層５の構成は、図４に示すように、上部再生シールド層５の浮上面１０側の端部のみが複数に分離し、他端側は連結したものである。
その他の構成は実施例２と同様である。言い換えれば、実施例３の構成は、実施例２の構成において、上部再生シールド層５の浮上面１０側の他端部側を、磁気的に連結した構成である。
【００３２】
また、実施例１，２と同様、上部再生シールド層５は、コア幅方向の中央部において浮上面１０に露出し、コア幅方向の端部に近づくに従い、浮上面１０との距離が大きくなるよう形成されている。なお、本実施例３において、上部再生シールド層５のコア幅方向端部の櫛状部においては、上部再生シールド層５と浮上面１０との距離というのは、櫛状部の浮上面側の各先端部と、浮上面１０との距離のことであり、言い換えれば、上部再生シールド層５の櫛状部の谷間部を除いた箇所と、浮上面１０との距離のことを指す。
【００３３】
本実施例３に係る構成によっても、磁気シールド層５に受信された外部磁場ノイズ／外部電波ノイズを、浮上面１０側の多数の各エッジ部ｅ，ｅ・・に分散させることができるから、エッジノイズが抑えられ、外部磁場イレーズが生じにくくなる。
【００３４】
以上、３つの実施例について説明したが、上部再生シールド層、下部再生シールド層、、トレーリングシールド、およびリターンヨークのそれぞれの構成は、同一の実施例の構成に統一する必要はなく、それぞれに別々の構成を採用してもよい。
また、上部再生シールド層、下部再生シールド層、、トレーリングシールド、およびリターンヨークの全てに本発明に係る構成を適用する必要はなく、それらのうちの少なくとも一つに適用しているものは、本発明の技術範囲に属する。
【図面の簡単な説明】
【００３５】
【図１】本発明に係る磁気ヘッドの構成を示す説明図である。
【図２】実施例１に係る上部再生シールド層を、その膜面に直交する方向（薄膜の積層方向）から見た説明図である。
【図３】実施例２に係る上部再生シールド層を、その膜面に直交する方向（薄膜の積層方向）から見た説明図である。
【図４】実施例３に係る上部再生シールド層を、その膜面に直交する方向（薄膜の積層方向）から見た説明図である。
【図５】従来の磁気ヘッドの構成を示す説明図である。
【図６】従来の磁気ヘッドにおけるエッジノイズの説明図である。
【図７】従来の磁気ヘッドにおけるエッジノイズの説明図である。
【符号の説明】
【００３６】
Ａ  磁気ヘッド
ｅ  エッジ部
１，１ａ〜１ｃ  トレーリングシールド
２  主磁極
３  コイル
４，４ａ〜４ｃ  リターンヨーク
５，５ａ〜５ｇ  上部再生シールド層（磁気シールド層）
６  磁気感知層
７，７ａ〜７ｃ  下部再生シールド層（磁気シールド層）
８  磁気記録ヘッド
９  磁気再生ヘッド
１０  浮上面
【図１】
2008234707.tif 000003
【図２】
2008234707.tif 000004
【図３】
2008234707.tif 000005
【図４】
2008234707.tif 000006
【図５】
2008234707.tif 000007
【図６】
2008234707.tif 000008
【図７】
2008234707.tif 000009